(57)【要約】【課題】誰でも容易に紙パックの注ぎ口を開封することのできる紙パック開け具を提供する。【解決手段】紙片を折り畳むことにより形成した箱本体１ａの側面に突き刺される紙パック開け具であって、先端部が鋭角に形成された面状突起体３と、面状突起体３の基端部から略直角方向に延出された棒状部４と、棒状部４を保持するとともに操作力が加えられる把持部５とを備えたことを特徴とする。【選択図】図３
0003177072.tif 000002
【実用新案登録請求の範囲】
【請求項１】
紙片を折り畳むことにより形成した箱本体（１ａ）の側面に突き刺される紙パック開け具であって、
先端部が鋭角に形成された面状突起体（３）と、
前記面状突起体（３）の基端部から略直角方向に延出された棒状部（４）と、
前記棒状部（４）を保持するとともに操作力が加えられる把持部（５）とを備えたことを特徴とする紙パック開け具。
【請求項２】
前記面状突起体（３）は、所定距離離反して配置された２つの小突起体（３ａ）、（３ｂ）から構成されていることを特徴とする請求項１に記載の紙パック開け具。
【請求項３】
前記面状突起体（３）が、前記棒状部（４）に対して傾倒自在であることを特徴とする請求項１または２に記載の紙パック開け具。
【請求項４】
前記面状突起体（３）には、カバー（７）着脱自在に装着されることを特徴とする請求項１〜３のいずれかに記載の紙パック開け具。
【考案の詳細な説明】
【技術分野】
【０００１】
本考案は、牛乳やジュースなどが収容された紙パックの注ぎ口を容易に開封することのできる紙パック開け具に関する。
【背景技術】
【０００２】
牛乳を始めとして、ジュース、スープなど、様々な飲料が紙パックに収容されて市場に提供されている。
このような紙パックでは、飲料を取りだすための注ぎ口が箱本体の上部に屋根状に折り畳まれた後、互いに対面する２辺がヒートシールにより封止された状態で出荷されている（例えば、図２（Ａ）参照）。
【０００３】
また、例えば、その紙パック１を開封する場合は、図６（Ａ）に示したように、先ず、箱本体１ａのヒートシールされた接合部分１ｂ、１ｃを左右方向に完全に押し広げ、さらに同図（Ｂ）に示したように押し広げられた接合部分１ｂ、１ｃの中央部を手前側に十分に引き戻すことにより、上部側に注ぎ口２を開封するようにしている。
【０００４】
ところが、このように紙パック１の開封の手順が定められてはいるものの、接合部分１ｂ、１ｃが最初の段階で左右方向に完全に押し広げられていなかったり、誤って反対側の接合部分を押し広げてしまったりした場合は、目的とする注ぎ口２を開封することが難しくなるという問題が生じていた。
【０００５】
このような問題は、開封作業に慣れていない人や、細かい作業を苦手とする人などに生じ易い。
【考案の概要】
【考案が解決しようとする課題】
【０００６】
本考案は、このような実情に鑑み、誰でも容易に紙パックの注ぎ口を開封することのできる紙パック開け具を提供することを目的としている。
【課題を解決するための手段】
【０００７】
上記目的を達成するための本考案に係る紙パック開け具は、
紙片を折り畳むことにより形成した箱本体１ａの側面に突き刺される紙パック開け具１０であって、
先端部が鋭角に形成された面状突起体３と、
前記面状突起体３の基端部から略直角方向に延出された棒状部４と、
前記棒状部４を保持するとともに操作力が加えられる把持部５とを備えたことを特徴としている。
【０００８】
このような構成であれば、面状突起体３が箱本体１ａの側面に突き刺し込まれた後、反対側の把持部５を手前側に引き戻せば、上部の注ぎ口２を確実に開封することができる。
また、本考案では、前記面状突起体３は、所定距離離反して配置された２つの小突起体３ａ、３ｂから構成されていることが好ましい。
【０００９】
このような構成であれば、箱本体１ａの側面に対し力を分散させて引き戻すことができる。しかも、この場合に、注ぎ口２に直接手を触れることがないので、手が汚れている場合などに衛生的でもある。
【００１０】
さらに、本考案では、前記面状突起体３が、前記棒状部４に対して傾倒自在に構成されていても良い。
このように面状突起体３が傾倒自在であれば、紙パック開け具１０の非使用時に、面状突起体３を棒状部４側に倒した状態で、安全に管理することができる。
【００１１】
また、本考案では、前記面状突起体３には、カバー７が着脱自在に装着されることが好ましい。
カバーが装着されることにより衛生的かつ安全性が確保される。
【考案の効果】
【００１２】
本考案によれば、紙パックの開封作業において、途中まで押し広げられた紙パックに対し、紙パック開け具の面状突起体を注ぎ口近傍の箱本体の側面に突き刺して、その後、引き戻せば、上部の注ぎ口を確実に開封することができる。
【００１３】
したがって、開封作業に慣れていない人や、指先の細かい作業を嫌う人などであっても確実に注ぎ口を開封することができる。
また、面状突起体を２つの小突起体から構成することにより、力を分散させて引き戻すことができる。
【００１４】
さらに、面状突起体を棒状部に対して傾倒自在とすることにより、紙パック開け具の非使用時における安全性を確保することができる。
また、非使用時に、カバーを装着することにより、衛生的に管理することができる。
【図面の簡単な説明】
【００１５】
【図１】図１は本考案の一実施例に係る紙パック開け具を示した斜視図である。
【図２】図２（Ａ）は紙パックの一例として示した牛乳パックの斜視図、図２（Ｂ）は図２（Ａ）における注ぎ口を開封するためにヒートシールされた接合部分を左右方向に押し広げたときの斜視図である。
【図３】図３（Ａ）は図２（Ｂ）の一部を拡大して示す斜視図、図３（Ｂ）は図３（Ａ）に示した四角形の面に、図１の紙パック開け具を上下反転した姿勢で突き刺したときの斜視図である。
【図４】図４は本実施例の紙パック開け具により図３（Ｂ）に示した牛乳パックの注ぎ口を完全に開封した時の斜視図である。
【図５】図５は図１に示した紙パック開け具の面状突起体と、棒状部との傾斜角度を示す概略図である。
【図６】図６は従来の紙パックを開封するときの手順を示したもので、図６（Ａ）は、最初の段階として注ぎ口のヒートシールされた接合部分を左右方向に押し広げた状態を示す斜視図で、同図（Ｂ）は、次の段階として押し広げた部分をさらに手前側に引き戻すときの状態を示す斜視図である。
【考案を実施するための形態】
【００１６】
以下、図面を参照しながら本考案の一実施例に係る紙パック開け具について説明する。
図１は本考案の一実施例に係る紙パック開け具を示した斜視図である。
この紙パック開け具１０は、先端部が鋭角に形成された面状突起体３と、この面状突起体３の基端部から直角方向に延出された棒状部４と、この棒状部４を保持するとともに操作力が加えられる把持部５とから構成されている。
【００１７】
面状突起体３は、所定距離離反して配置された２つの小突起体３ａ、３ｂから構成され、これら小突起体３ａ、３ｂから構成された面状突起体３は、合成樹脂あるいは鋼板などなどから形成されている。
【００１８】
また、小突起体３ａ、３ｂの先端部の傾斜角度αは鋭角であり、好ましくは２０°〜４５°の範囲、さらに好ましくは２５°〜３５°の範囲である。
この傾斜角αが２０°以下であれば、後述する箱本体１ａに突き刺すことが容易になるものの、箱本体１ａに突き刺した後、箱本体１ａから突き刺した方向と反対側に引き戻した場合に、箱本体１ａとの接触面積が小さくなることから、箱本体１ａに力を伝達し難くなる。この場合は、結果として、注ぎ口２が開封され難くなる。
【００１９】
一方、傾斜角αが４５°以上であると、箱本体１ａに突き刺すことが若干困難になるものの、小突起体３ａ、３ｂと箱本体１ａとの接触面積が大きくなることから、箱本体１ａに力を伝達し易くなる。この場合は、結果として、注ぎ口が開封され易い。
【００２０】
したがって、傾斜角αは２０°〜４５°の範囲、さらに好ましくは２５°〜３５°の範囲である。
棒状部４は、面状突起体３の材質と同一であっても良く、あるいは別材質で形成しても良い。
【００２１】
把持部５は棒状部４を支持している。把持部５は操作者が手で掴んで面状突起体３に操作力を加えるため、棒状部４より大径であることが好ましい。また、把持部５は、断面円形あるいは断面楕円形であれば握り易く、操作性が良好である。
【００２２】
さらに、面状突起体３から把持部５までの全体の長さは特に限定されないが、使い勝手から言えば、２５ｃｍ以下、好ましくは１５ｃｍ〜２０ｃｍである。このような長さに全体の長さが設定されていれば、作業性および操作性が良好である。
【００２３】
また、面状突起体３の小突起体３ａ、３ｂを覆うために、合成樹脂などによるカバー７を用意し、このカバー７を非使用時には突起体３に装着することが好ましい。
また、把持部５の途中に、大形な球状物６を介在させても良い。
【００２４】
このような球状物６が途中に介在されていれば、意匠性が向上する他、球状物６が一目瞭然であるため、保管した場所を直ぐに見出すことができる。
さらに、球状物６に代えて、把持部５の途中に玩具、フランジのような突起体などを設置したりできる他、吊り下げ用に紐などを取り付けても良い。
【００２５】
以下に、紙パック開け具１０の使い方について図２〜図４を参照しながら説明する。
今、図２（Ａ）に示したように、紙パックの一例として、いわゆる牛乳パック１がある。
【００２６】
市場に提供されているこの牛乳パック１から、牛乳を飲むための上部の注ぎ口２を開封するには、先ず、図２（Ｂ）に示したように、箱本体１ａの片側の上部でヒートシールされた接合部分１ｂ、１ｃを左右方向に完全に押し広げる。この作業は、ヒートシールされた部分の角部を両手で押し開くため、力が入り易く、誰でも容易に行うことができる。
【００２７】
この最初の段階の作業を行うことにより、牛乳パック１の側面に、図３（Ａ）に示したように、四角形の面Ｐを露出させることができる。この四角形の面Ｐのうち、中央部の△ＢＣＤの領域は、一枚の紙で形成され、その両側の領域Ｅ，Ｆは、２枚の紙を接合することにより形成されている。
【００２８】
本実施例において、図３（Ａ）に示したように、最初の工程で四角形の面Ｐを露出させたら、図１に示した紙パック開け具１０を用意する。
そして、利き手で紙パック開け具１０の把持部５を、図１の姿勢を上下反転して掴むとともに他方の手で牛乳パック１の側面を保持する。
【００２９】
さらに、利き手に持った紙パック開け具１０の面状突起体３を、図３（Ｂ）に示したように、牛乳パック１の四角形の面Ｐのうち、図３（Ｂ）に示したように、△ＢＣＤの上部付近にあてがい、そのまま面Ｐの内方に向かって面状突起体３を突き刺す。面状突起体３が、図３（Ｂ）に示したように、牛乳パック１の内方に突き刺されたら、紙パック開け具１０の棒状部４を、若干上方に引き上げながら手前側、すなわち矢印Ｇ方向に引き戻す。
【００３０】
このとき、牛乳パック１は、小突起体３ａ、３ｂと面接触し、２箇所から箱本体１ａを矢印Ｇ方向に引き戻すことになる。これにより、図３（Ｂ）および図４に示したように、注ぎ口２を封止していた△ＢＣＤを含む四角形ＨＣＤＩの領域に対し、２箇所から力が加えられる。これにより、四角形ＨＣＤＩの領域が、確実に矢印Ｇ方向に引き戻され、四角形ＨＣＤＩが剥がされる。
【００３１】
このようにして、箱本体１ａの上部に注ぎ口２を形成することができる。
注ぎ口２が箱本体１ａの上部に形成されたら、紙パック開け具１０を箱本体１ａから取り外す作業を行う。この作業は、図４の姿勢から紙パック開け具１０を上方に引き上げれば容易に行うことができる。これにより作業が完了する。
【００３２】
なお、紙パック開け具１０の使用後においては、図１に示したように紙パック開け具１０の面状突起体３にカバー７を装着し、この状態で定められた場所に管理することが望ましい。
【００３３】
以上説明したように、本考案では、最初の段階としてヒートシールされた接合部分１ｂ、１ｃを左右に開いた後、次の段階としては指先の作業によらず、紙パック開け具１０を使用して開封するので、誰でも容易に注ぎ口２を開封することができる。
【００３４】
このように、紙パック開け具１０を用いることにより、紙パックの開封作業に慣れていない人、あるいは指先が不自由な人であっても、注ぎ口２を容易かつ確実に開封することができる。
【００３５】
以上、本考案の一実施例について説明したが、本考案は上記実施例に何ら限定されない。
例えば、本考案は、牛乳パック１に限定されず、ジュースあるいはスープなどの紙パックにも適用可能である。
【００３６】
また、面状突起体３の形状は、上記実施例に何ら限定されない。要は、箱本体１ａのヒートシールされた接合部分を左右に押し広げて形成した四角形の面Ｐに突き刺して、突き刺した部分を面接触で引き戻せる形状であれば、面状突起体３は如何なる形状であっても良い。
【００３７】
また、図４に示したように、突起体３と棒状部４との接合部の傾斜角度βは、作業性を考慮して任意に決定することができる。
あるいは、面状突起体３と棒状部４との傾斜角度βを、０°〜９０°の範囲で傾倒自在とし、非使用時には、βを０°近くに倒して管理することもできる。
【符号の説明】
【００３８】
１              牛乳パック
１ａ            箱本体
１ｂ、１ｃ      接合部分
２              注ぎ口
３              面状突起体
３ａ、３ｂ      小突起体
４              棒状部
５              把持部
６              球状体
７              カバー
１０          紙パック開け具
【図１】
0003177072.tif 000003
【図２】
0003177072.tif 000004
【図３】
0003177072.tif 000005
【図４】
0003177072.tif 000006
【図５】
0003177072.tif 000007
【図６】
0003177072.tif 000008